(57)【要約】【技術課題】  給水量に過不足がないように構成すると共に給水の手間を省き、デザイン性に優れ、軽量化と電力の消費を抑えた自動給水プランターを提供する。【解決手段】  プランター本体１内を仕切板２により貯水室３と生育室４を形成し、仕切板２の上面には吸湿性布６と隙間材７で吸湿空間８を形成し、この上に土５を入れる。  プランター本体１の隅にポンプ収容パイプ９を挿入し、このパイプ９の底に組み込んだ水中ポンプ１０により給水第１チューブ１３と第２チューブ１５を経由して前記吸湿空間８内に吸水を行い、吸湿性布６から土５中に給水を行い、土５を湿らせ、草花ａに給水を行う。【選択図】図１
2012055218.tif 000002
【特許請求の範囲】
【請求項１】
ａ．プランター本体１内を仕切板２により上下に仕切り、下部に貯水室３を形成し、上部に土５を充填して生育室４を形成したこと、
ｂ．前記仕切板２の上面中央には、吸湿性布６内に隙間材７を入れて吸湿空間８を形成したこと、
ｃ．前記プランター本体１内の隅には縦方向にポンプ収容パイプ９を挿入し、このポンプ収容パイプ９内の底部には水中ポンプ１０を組み込んだこと、
ｄ．前記水中ポンプ１０の吸入口１１はポンプ収容パイプ９内で開口し、吐出口１２には給水第１チューブ１３が取り付けられていると共にこの給水第１チューブ１３の先は前記生育室４内に組み付けた分水器１４内に結ばれていること、
ｅ．前記分水器１４内底部と前記吸湿空間８間は給水第２チューブ１５で結ばれていると共に分水器１４とポンプ収容パイプ９間にはオーバーフロー口１６が設けられていること、
ｆ．前記ポンプ収容パイプ９の給水口１８には着脱自在に蓋体１９が装着されていること、
ｇ．前記ポンプ収容パイプ９の下部と貯水室３間には通水穴２０が設けられていること、
ｈ．を特徴とする自動給水プランター。
【請求項２】
前記水中ポンプ１０は、電源コード１０ａを経由したＡＣ電源、又は太陽光発電装置で発電した電力を電源に駆動すること、を特徴とする請求項１に記載の自動給水プランター。
【請求項３】
前記水中ポンプ１０には引き上げ兼押え棒１７が取り付けられていることにより、この引き上げ兼押え棒１７により水中ポンプ１０をポンプ収容パイプ９内底部に押え、かつ引き上げることにより水中ポンプ１０の点検清掃を簡単に行うことができること、を特徴とする請求項１に記載の自動給水プランター。
【発明の詳細な説明】
【技術分野】
【０００１】
本発明は、自動給水機能を付加したプランターに関するものである。
【背景技術】
【０００２】
自動給水機能を付加したプランターとして特許文献１には、貯水槽に貯った雨水を水供給ポンプを用いてプランターに自動給水する装置が紹介されている。
【０００３】
しかし、この自動給水装置の場合、プランター内の水管理機能を有しないことから、給水の過不足の問題が発生する。
【０００４】
また、特許文献２には、プランターケースを二重壁で構成して二重壁内を貯水タンクとなし、このタンク内からプランターの土壌中に給水を行う装置が紹介されている。
【０００５】
しかし、この自動給水装置にあっては、プランター内における給水構造が不完全であることから、安定した給水を行うことはできず、実用的でない。
【０００６】
また、特許文献３には、屋上緑化プランターとして、プランター内の底部に透水性多孔部材を敷設し、この上に土壌層を形成し、毛細管給水機構を利用して給水する装置が紹介されている。
【０００７】
しかし、この給水構造の場合、プランター内の土壌に対する給水分布が不均一化すると共に給水量を一定に保つ制御ができないという問題がある。
【０００８】
また、特許文献４には、本件出願人がプランターの側部に水容器を付設し、プランター内の底部に小石を敷き、この上に土を入れ、小石層を介して給水が行われるように構成した装置を紹介している。
【０００９】
しかし、この装置の場合、バルブで水を完全に止める事が難しく、またバルブで目詰まりも起こし易く、実用化には問題がある。
【先行技術文献】
【特許文献】
【００１０】
【特許文献１】特開２００３−３０１４８２号公報
【特許文献２】特開２００９−２５４３２７号公報
【特許文献３】特開２００４−２９８１４０号公報
【特許文献４】特開２０１０−６８７３５号公報
【発明の概要】
【発明が解決しようとする課題】
【００１１】
本発明の目的は次のとおりである。
【００１２】
ａ．給水が確実に行われ、目詰りや水漏れがなく、故障の少ないプランターを提供すること。
【００１３】
ｂ．水タンク・給水配管をプランターの外に設置しないようにしてデザイン性に優れ、安価に製作できるプランターを提供すること。
【００１４】
ｃ．水タンクの容量を大きくできて給水の手間を少なくできるプランターを提供すること。
【００１５】
ｄ．プランターに降った雨水を貯水にまわして給水の手間の少ないプランターを提供すること。
【００１６】
ｅ．プランター内の土の量を少なくして軽量化が可能なプランターを提供すること。
【課題を解決するための手段】
【００１７】
上記目的を達成するため、請求項１に記載の自動給水プランターにおいては、ａ．プランター本体１内を仕切板２により上下に仕切り、下部に貯水室３を形成し、上部に土５を充填して生育室４を形成したこと、
ｂ．前記仕切板２の上面中央には、吸湿性布６内に隙間材７を入れて吸湿空間８を形成したこと、
ｃ．前記プランター本体１内の隅には縦方向にポンプ収容パイプ９を挿入し、このポンプ収容パイプ９内の底部には水中ポンプ１０を組み込んだこと、
ｄ．前記水中ポンプ１０の吸入口１１はポンプ収容パイプ９内で開口し、吐出口１２には給水第１チューブ１３が取り付けられていると共にこの給水第１チューブ１３の先は前記生育室４内に組み付けた分水器１４内に結ばれていること、
ｅ．前記分水器１４内底部と前記吸湿空間８間は給水第２チューブ１５で結ばれていると共に分水器１４とポンプ収容パイプ９間にはオーバーフロー口１６が設けられていること、
ｆ．前記ポンプ収容パイプ９の給水口１８には着脱自在に蓋体１９が装着されていること、
ｇ．前記ポンプ収容パイプ９の下部と貯水室３間には通水穴２０が設けられていること、を特徴とするものである。
【００１８】
また、請求項２に記載の自動給水プランターは、請求項１に記載の自動給水プランターにおいて、水中ポンプ１０は、電源コード１０ａを経由したＡＣ電源、又は太陽光発電装置で発電した電力を電源に駆動すること、を特徴とするものである。
【００１９】
また、請求項３に記載の自動給水プランターは、請求項１に記載の自動給水プランターにおいて、水中ポンプ１０には引き上げ兼押え棒１７が取り付けられていることにより、この引き上げ兼押え棒１７により水中ポンプ１０をポンプ収容パイプ９内底部に押え、かつ引き上げることにより水中ポンプ１０の点検清掃を簡単に行うことができること、を特徴とするものである。
【発明の効果】
【００２０】
本発明は以上のように、プランター本体１内を仕切板２で上下に仕切り、この仕切板２の下に貯水室３を形成し、この貯水室３の水を水中ポンプ１０で分水器１４から吸湿性布６を経由して生育室４内の土５中に給水するため、貯水室３の容量を増大することで給水の手間を少なくできる。
【００２１】
また、土５に対する給水は、吸湿性布６を経由するため、自然の土壌と条件が同じくなり、根腐れの心配がない。
【００２２】
また、小石等を敷かないため、目詰りの心配がないと共に水中ポンプ１０から給水チューブ１５を介して給水するだけのため、構造が簡単で故障も少ない。
【００２３】
また、プランター本体１内に降った余分な雨水は土５を経由して吸湿性布６内に浸透し、給水チューブ１５から分水器１４内に逆流し、オーバーフロー口１６からポンプ収容パイプ９内に回収することができる。通水口２０を経由して貯水室３内に貯水して再給水に廻すことができる。
【００２４】
また、プランター本体１内に貯水室３を設け、この上に土５を入れた生育室４を形成したことにより、土５の量を少なくしてプランターの軽量化を図ることができると共にデザイン的にスッキリとさせることができる。
【図面の簡単な説明】
【００２５】
【図１】本発明に係る自動給水プランターの説明図である。
【図２】本発明に係る自動給水プランターの平面図である。
【図３】分水器部分の説明図である。
【図４】水位検出器の説明図である。
【発明を実施するための形態】
【００２６】
以下に本発明を実施するための形態を図１〜４に基づいて詳細に説明する。
【００２７】
符号の１はプランター本体であって、本実施例のプランター本体１は箱状を呈している。
【００２８】
また、プランター本体１内は、仕切板２により上下に仕切られていて、下部にはオーバーフロー口３ａ付の貯水室３が形成され、上部には土５を入れた生育室４が形成されている。
【００２９】
前記仕切板２の上面中央部には、吸湿性布６内に隙間材７を入れて吸湿空間８が偏平状に形成されている。
【００３０】
９は、プランター本体１内の隅に上方から挿入されたポンプ収容パイプであって、このパイプ９内の底部には水中ポンプ１０が組み込まれていると共にこの水中ポンプ１０の吐出口１２には給水第１チューブ１３が接続されていて、この先は生育室４内に組み付けた分水器１４内に結ばれている。
【００３１】
１５は、分水器１４内と吸湿性布６内の吸湿空間８を結ぶ給水第２チューブ、１６は分水器１４内とポンプ収容パイプ９内を連通しているオーバーフロー口である。
【００３２】
１７は、水中ポンプ１０と電源コード１０ａをポンプ収容パイプ９内に押え付けたり、引き上げてポンプ１０の点検とか清掃を行うときに用いる引き上げ兼押え棒、１９はポンプ収容パイプ９の上部給水口１４を塞ぐ蓋体であって、この蓋体１９をとり、給水口１８からホースあるいは給水ポット等を用いてポンプ収容パイプ９内に給水を行うと、ポンプ収容パイプ９の下部に設けた通水穴２０を経由して貯水室３内に一定レベルまで給水を行うことができる。
【００３３】
このとき、貯水室３内の水位を検出するのが図４に示した水位検出器であって、この構成は、ポンプ収容パイプ９内に水位検出パイプ２３が挿入されていると共にこの水位検出パイプ２３内の底部２３ｂには通水孔２３ａが形成され、更に底部２３ｂにはフロート２４が挿入され、このフロート２４からは水位検出パイプ２３内を経由して蓋体１９の外に抜けるように水位表示バー２５が延長されていると共に水位表示バー２５の上端２６側には水位表示目盛２７が設けられていて、貯水室３内の水位を目視で確認し、給水のタイミングが判る構成である。２８はフロートストッパーである。
【００３４】
図１において、２２は仕切板２の支持脚、３０は排水口、３１は水栓である。
【００３５】
上記構成において、水中ポンプ１０の駆動により分水器１４内に給水された水は、給水第２チューブ１５を経由して吸湿性布６で覆われた吸湿空間８内に給水されることにより、吸湿性布６の吸湿作用で土５中に給水され、草花ａの根から吸い上げられる。
【００３６】
分水器１４には、この分水器１４内に給水された水位を一定に保つ位置にオーバーフロー口１６が設けられていて、このオーバーフロー口１６からオーバーフローした水はポンプ収容パイプ９内に還流する。
【００３７】
なお、本実施例は自動的にポンプ収容パイプ９内に給水する構造とはなっていないが、上水又は貯水槽とポンプ収容パイプ９間を給水ホースで結び、貯水室３内の水位をセンサーで検出し、このセンサーからの信号で電磁バルブを操作して常時一定水量を貯水室３内に確保するようにしても良い。
【００３８】
また、本実施例では水中ポンプ１０の駆動にＡＣ電源を利用したが、水中ポンプ１０は４Ｗ程度で十分機能するため、太陽光発電装置で発電した電力を用いても十分に駆動することから経済性に優れたプランターとして提供するようにしても良い。
【００３９】
また、水中ポンプ１０は、常時駆動させても消費電力が少ないために問題はないが、耐久性等を考慮してタイマーを用いて又は土５中に湿気センサーを組み付け、この湿気の値からその駆動を制御するようにしても良い。
【００４０】
また、前記湿気センサーで土５中の湿気を常時監視することにより、植物に合った湿気となるように給水を自動制御するようにしても良い。
【符号の説明】
【００４１】
１  プランター本体
２  仕切板
３  貯水室
３ａ  オーバーフロー口
４  生育室
５  土
６  吸湿性布
７  隙間材
８  吸湿空間
９  ポンプ収容パイプ
１０  水中ポンプ
１１  吸入口
１２  吐出口
１３  給水第１チューブ
１４  分水器
１５  給水第２チューブ
１６  オーバーフロー口
１７  引き上げ兼押え棒
１８  給水口
１９  蓋体
２０  通水口
２２  支持脚
２３  水位検出パイプ
２４  フロート
２５  水位表示バー
２６  上端
２７  水位表示目盛
２８  フロートストッパー
３０  排水口
３１  水栓
【図１】
2012055218.tif 000003
【図２】
2012055218.tif 000004
【図３】
2012055218.tif 000005
【図４】
2012055218.tif 000006